(57)【要約】      （修正有）【課題】アンカーボルト等に螺着したナットの仮締等が簡単且つ迅速に行える手動式ギヤレンチを提供する。【解決手段】握持フレームｆの開口部２と手動回転ギヤ３との間に、開口部２と同径状又は稍同径状の切欠部４ａを有する切欠駆動ギヤ４と、手動回転ギヤ３との間で切欠駆動ギヤ４と同時に噛合する２個の小径ギヤ５、５を対向状に握持フレームに枢着した。また、手動回転ギヤ３に係合し、且つ手動回転ギヤと切欠駆動ギヤの回転方向を左回転又は右回転又はフリー回転に手動で切換自在なギヤ回転方向切換機構ａを、手動回転ギヤに当接して装着した。【選択図】図５
0003210552.tif 000002
【実用新案登録請求の範囲】
【請求項１】
先端部にボルトを嵌挿せしめる開口部を形成せしめた握持フレームに、回転体によって手動回転する手動回転ギヤを枢着せしめた手動式ギヤレンチにおいて、
前記握持フレームの開口部と前記手動回転ギヤとの間に、前記握持フレームの開口部と同径状もしくは稍同径状の切欠部を有する前記握持フレームに枢着せしめた切欠駆動ギヤと、前記手動回転ギヤとの間に前記手動回転ギヤと前記切欠駆動ギヤと同時に噛合する２個の小径ギヤを対向状に前記握持フレームに枢着し、
前記手動回転ギヤに係合し、且つ手動回転ギヤ及び前記切欠駆動ギヤの回転方向を左回転もしくは右回転もしくはフリー回転する回転方向を手動で切換自在なギヤ回転方向切換機構を、前記手動回転ギヤに切換え当接せしめ前記握持フレーム内に装着せしめることを特徴とする手動式ギヤレンチ。
【請求項２】
前記手動回転ギヤを回転せしめる前記回転体は、前記握持フレーム上に突設せしめられていることを特徴とする請求項１に記載の手動式ギヤレンチ。
【請求項３】
前記ギヤ回転方向切換機構は、前記手動回転ギヤの下方部にして、且つ前記握持フレーム内に取着せしめられた支承部より、先端部が前記手動回転ギヤのギヤ部に当接可能な長さとし、下端部は前記支承部より離脱しないように支承せしめられた左側切換弁と右側切換弁を設け、前記左側切換弁の背面部と前記右側切換弁の背面部には、弾性体を介在せしめ、前記左側切換弁と前記右側切換弁との間に、別設する前記手動回転ギヤの回転方向切換レバーの突出部を介在せしめ、前記突出部と接続する前記回転方向切換レバーを構成の切換ハンドルが、前記握持フレームの上面部にスライド自在に突設せしめられていることを特徴とする請求項１又は２に記載の手動式ギヤレンチ。
【請求項４】
前記左側切換弁と前記右側切換弁は、先端部が下端部よりも外側方に展開せしめられていることを特徴とする請求項１又は２又は３に記載の手動式ギヤレンチ。
【請求項５】
前記手動回転ギヤの回転方向切換レバーの突出部は、左側面部と右側面部に対称的な突出状左側突出部と右側突出部が夫々設けられていることを特徴とする請求項１又は２又は３又は４に記載の手動式ギヤレンチ。
【請求項６】
前記回転方向切換レバーの突出部は、裏面にネジ孔が形成されていることを特徴とする請求項１又は２又は３又は４又は５に記載の手動式ギヤレンチ。
【考案の詳細な説明】
【技術分野】
【０００１】
本考案は、ボルトを嵌挿せしめる開口部を構成する握持フレームに、枢着せしめた手動回転ギヤと小径ギヤと切欠駆動ギヤの左回転もしくは右回転もしくはフリー回転を手動で切換え可能にすると共に、ナットの締付け及び馳緩ができる仮締め用手動式ギヤレンチの分野に関するものである。
【背景技術】
【０００２】
従来、電動ドライバー用補助工具として、下記特許文献１の特許第６０４１０３５号公報に記載のものが開示されている。この特許は、本件実用新案登録出願人が開発したものであって、その電動ドライバー用補助工具Ａには、主動ギヤ及び切欠駆動ギヤ等を左回りや右回りやフリー回りに自由自在に切換えをする回転方向切換機構が付設されていなかった。
【先行技術文献】
【特許文献】
【０００３】
【特許文献１】特許第６０４１０３５号公報
【考案の概要】
【考案が解決しようとする課題】
【０００４】
しかるに、本考案は、２つの小径ギヤと噛合する切欠駆動ギヤを左回りもしくは右回りもしくはフリー回りを自由自在に切換えることができる回転方向切換機構を手動ギヤに装着せしめて、アンカーボルト等に螺着せしめたナットの仮締等が極めて簡単且つ迅速に行うことができるようにしたものである。
【０００５】
さらに、本考案は前記のように手動ギヤに回転方向切換機構を装着せしめることによって、小回りの効く種々の作業ができるようにした。
【課題を解決するための手段】
【０００６】
課題を解決するための手段として、請求項１に記載の考案は、先端部１にボルトを嵌挿せしめる開口部２を形成せしめた握持フレームｆに、回転体６によって手動回転する手動回転ギヤ３を枢着せしめた手動式ギヤレンチＡにおいて、
前記握持フレームｆの開口部２と前記手動回転ギヤ３との間に、前記握持フレームｆの開口部２と同径状もしくは稍同径状の切欠部４ａを有する前記握持フレームｆに枢着せしめた切欠駆動ギヤ４と、前記手動回転ギヤ３との間に前記手動回転ギヤ３と前記切欠駆動ギヤ４と同時に噛合する２個の小径ギヤ５、５を対向状に前記握持フレームｆに枢着し、
前記手動回転ギヤ３に係合し、且つ手動回転ギヤ３及び前記切欠駆動ギヤ４の回転方向を左回転もしくは右回転もしくはフリー回転する回転方向を手動で切換自在なギヤ回転方向切換機構ａを、前記手動回転ギヤ３に切換え当接せしめ前記握持フレームｆ内に装着せしめることを特徴とする手動式ギヤレンチである。
【０００７】
上記課題を解決するための手段として、請求項２に記載の考案は、前記手動回転ギヤ３を回転せしめる前記回転体６は、前記握持フレームｆ上に突設せしめられていることを特徴とする請求項１に記載の手動式ギヤレンチである。  
【０００８】
上記課題を解決するための手段として、請求項３に記載の考案は、前記ギヤ回転方向切換機構ａは、前記手動回転ギヤ３の下方部にして、且つ前記握持フレームｆ内に取着せしめられた支承部７より、先端部８が前記手動回転ギヤ３のギヤ部３ａに当接可能な長さとし、下端部９は前記支承部７より離脱しないように支承せしめられた左側切換弁１０と右側切換弁１１を設け、前記左側切換弁１０の背面部１０ａと前記右側切換弁１１の背面部１１ａには、弾性体１２、１３を介在せしめ、前記左側切換弁１０と前記右側切換弁１１との間に、別設する前記手動回転ギヤ３の回転方向切換レバー１４の突出部１５を介在せしめ、前記突出部１５と接続する前記回転方向切換レバー１４を構成の切換ハンドル１６が、前記握持フレームｆの上面部１７にスライド自在に突設せしめられていることを特徴とする請求項１又は２に記載の手動式ギヤレンチである。
【０００９】
上記課題を解決するための手段として、請求項４に記載の考案は、前記左側切換弁１０と前記右側切換弁１１は、先端部８、８が下端部９、９よりも外側方に展開せしめられていることを特徴とする請求項１又は２又は３に記載の手動式ギヤレンチである。
【００１０】
上記課題を解決するための手段として、請求項５に記載の考案は、前記手動回転ギヤ３の回転方向切換レバー１４の突出部１５は、左側面部と右側面部に対称的な突出状左側突出部１８と右側突出部１９が夫々設けられていることを特徴とする請求項１又は２又は３又は４に記載の手動式ギヤレンチである。
【００１１】
上記課題を解決するための手段として、請求項６に記載の考案は、前記回転方向切換レバー１４の突出部１５は、裏面にネジ孔１５ａが形成されていることを特徴とする請求項１又は２又は３又は４又は５に記載の手動式ギヤレンチである。
【考案の効果】
【００１２】
本考案の手動式ギヤレンチの構成は上述のとおりであるので、ギヤ回転方向切換機構を構成する回転方向切換レバーを左側方もしくは右側方もしくは中央部に回動せしめた後、握持フレームの上面部に突設せしめた回転体を回動することによって、切欠駆動ギヤを前記回転方向と同じ方向に切換レバーの回転方向と同じ方向に回転せしめることができる。
【００１３】
そのため、握持フレームの開口部と切欠駆動ギヤの切欠部を合致せしめ、ボルトの嵌挿作業もしくはボルト外し作業を極めて容易に行うことができる利点がある。
【００１４】
さらに本考案は、前記のように回転方向切換レバーを所望する方向に回転せしめた後、前記回転体を前記回転方向切換レバーの回転させた方向と同じにして回転すれば、主動回転ギヤと切欠駆動ギヤも同じ方向に回転させることができる。従ってナットの仮締め作業を小回り良く行うことができる利点がある。
【図面の簡単な説明】
【００１５】
【図１】本考案手動式ギヤレンチの斜視図である。
【００１６】
【図２】同手動式ギヤレンチの一部切欠斜視図である。
【００１７】
【図３】同図２のギヤレンチの一部切欠平面図である。
【００１８】
【図４】同図１のギヤレンチを構成する回転体を外した状態の平面図である。
【００１９】
【図５】同図１のギヤレンチを構成する枠体の上側フレームを除去した状態の平面図である。
【００２０】
【図６】同第２実施例の手動式ギヤレンチの上側フレームを除去し、回転方向切換レバーが中央に位置している状態の平面図である。
【００２１】
【図７】同第２実施例の手動式ギヤレンチの上側フレームを除去し、回転方向切換レバーが右側方に位置している状態の平面図である。
【００２２】
【図８】同手動式ギヤレンチを構成するギヤ回転方向切換機構を構成する回転方向切換レバーの背面図である。
【００２３】
【図９】同図８の切換レバーの正面図である。
【考案を実施するための最良の形態】
【００２４】
本考案の手動式ギヤレンチの請求項１〜６に関する実施の形態は共通しているので、一括して以下のとおり説明する。
【００２５】
図において、Ａは手動式ギヤレンチであり、以下の構成からなっている。
【００２６】
すなわち、握持フレームｆ内に、手動回転ギヤ３と、前記手動回転ギヤ３に噛合する２つの小径ギヤ５、５と切欠駆動ギヤ４とギヤ回転方向切換機構ａと回転体６と回転方向切換レバー１４とから構成されている。
【００２７】
以下において、上記の各構成部材の実施例を説明する。
【００２８】
〈握持フレームｆの実施例〉
【００２９】
前記握持フレームｆの実施例について説明すると以下のとおりである。
【００３０】
この握持フレームｆは、下側フレーム２０と中側フレーム２１と上側フレーム２２からなっている。
【００３１】
前記下側フレーム２０と上側フレーム２２は、薄い金属板製もしくは同効資材からなっている。
【００３２】
前記中側フレーム２１には、前記した各構成部材を並列せしめるための収納部２１ａが形成されている。
【００３３】
さらに、前記下側フレーム２０と上側フレーム２２には、握持フレームｆを組立てるためのピン孔２３と、本考案の手動式ギヤレンチＡを構成する前記各構成部材を支承せしめるための軸孔２４が形成されている。
【００３４】
前記握持フレームｆは、前記した下側フレーム２０と中側フレーム２１と上側フレーム２２の夫々の先端部１、１、１にボルトｂを嵌挿もしくは離脱せしめるための開口部２、２、２が夫々同形状にて形成されている。さらに前記各フレーム２０、２１、２２の後方部には、本締め用孔２５が形成されている。
【００３５】
〈手動回転ギヤ３の実施例〉
【００３６】
図において、３は手動回転ギヤであり、外周にはギヤ部３ａが設けられ、上面部と下面部には下側フレーム２０と上側フレーム２２に嵌挿し軸支せしめる軸部３ｂが夫々突設されている。そして該手動回転ギヤ３は、組立てられると前記中側フレーム２１の収納部２１ａ内に嵌挿し、前記下側フレーム２０と上側フレーム２２によって挾み込まれ組立てられる。
【００３７】
〈小径ギヤ５、５の実施例〉
【００３８】
図において、５、５は小径ギヤであり、対向状態にして且下方部には前記回転ギヤ３に、上方部には前記切欠駆動ギヤ４に噛合している。形状としては前記手動回転ギヤ３と前記切欠駆動ギヤ４よりも小径状にて形成されている。そして前記小径ギヤ５、５の上面部と下面部に夫々軸部５ａが突設されている。
【００３９】
前記小径ギヤ５、５は、前記中側フレーム２１の収納部２１ａ内に嵌挿し、下側フレーム２０と上側フレーム２２によって挾み込まれ組立てられる。その際前記小径ギヤ５、５の中心部に軸ピン５ｂ、５ｂが嵌挿されており、両軸ピン５ｂ、５ｂが前記下側フレーム２０と上側フレーム２２のピン孔２３に嵌挿して、前記小径ギヤ５、５を回転せしめている。
【００４０】
〈切欠駆動ギヤ４の実施例〉
【００４１】
図において、４は切欠駆動ギヤであり、以下の構成からなっている。
【００４２】
この切欠駆動ギヤ４は、前記握持フレームｆの開口部２と同径状もしくは稍同径状の切欠部４ａが形成されており、且つ外周部にはギヤ部４ｂが形成されている。さらに上面部と下面部に、下側フレーム２０の開口部２と接続する内側嵌挿孔２ａと上側フレーム２２の開口部２と接続する内側嵌挿孔２ａに夫々嵌挿する突出状の軸部４ｃが突設されている。
【００４３】
前記のような構成をした前記切欠駆動ギヤ４は、図面図示のように前記小径ギヤ５、５に噛合せしめられ、しかも前記中側フレーム２１の収納部２１ａに嵌挿し、且つ下側フレーム２０と上側フレーム２２によって挾み込まれ組立てられている。
【００４４】
さらに前記切欠駆動ギヤ４の内側部には、ボルトｂに螺着のナットｎが嵌込まれる嵌挿通し孔４ｄが形成されている。
【００４５】
〈回転体６の実施例〉
【００４６】
図において、６は前記手動回転ギヤ３を回転自在に手動回転せしめることができる回転体である。
【００４７】
前記回転体６は、前記手動回転ギヤ３の内側部に角柱形状にて形成せしめられた軸孔３ｃに嵌挿する軸杆６ｂをつまみ部６ａの裏面より突設せしめる。
【００４８】
該回転体６は、図面図示のように上側フレーム２２により、軸杆６ｂを軸孔３ｃに嵌通し下側フレーム２０に飛出せしめ止め具にて固着し、前記つまみ部６ａを回転すると、同時に手動回転ギヤ３が回転するものである。前記止め具によって回転体６は離脱したりしない。
【００４９】
〈回転方向切換機構ａの実施例〉
【００５０】
図において、ａは前記切欠駆動ギヤ４を左回りもしくは右回りもしくは回転方向を自在に、しかも手動にて切換可能なギヤ回転方向切換機構であり、以下の構成からなっている。
【００５１】
該切換機構ａは、前記手動回転ギヤ３の下方部に装着されており、前記握持フレームｆの収納部２１ａ内に固着せしめられた支承部７の上面部に形成する凹部７ａ、７ａに下方部が嵌挿する左側切換弁１０と右側切換弁１１が嵌挿せしめられ、先端部８、８が手動回転ギヤ３のギヤ部３ａに当接可能な長さにて形成されている。
【００５２】
前記２個の左側切換弁１０と右側切換弁１１は、逆八形状にて、若干開いている。
【００５３】
前記左側切換弁１０と右側切換弁１１の夫々背面部１０ａ、１１ａには、前記両切換弁１０、１１を常時押圧する弾性体１２、１３を介在させる。前記弾性体１２、１３は、通常バネを使用するが、限定しない。
【００５４】
そして、前記左側切換弁１０と前記右側切換弁１１との間には、別設する前記手動回転ギヤ３の回転方向切換レバー１４の突出部１５を介在せしめる。さらに、前記突出部１５と接続する前記回転方向切換レバー１４を構成の切換ハンドル１６を前記握持フレームｆの上面部１７にスライド自在に突設せしめる。
【００５５】
さらに、前記手動回転ギヤ３の回転方向切換レバー１４の突出部１５は、左側面部と右側面部に対称的な突出状左側突出部１８と右側突出部１９が夫々設けられている。
【００５６】
前記回転方向切換レバー１４の突出部１５は、裏面にネジ孔１５ａが形成されている。このネジ孔１５ａには、組立てられた際に、下側フレーム２０より止め具が螺着される。
【００５７】
〈回転方向切換レバー１４に関する切換え操作方法〉
【００５８】
第１に、前記切換レバー１４の切換ハンドル１６を中央部に回動せしめたときの作用について説明する。
【００５９】
前記切換ハンドル１６が、図６に図示された位置にセットされたときの状態について説明する。
【００６０】
前記のように、切換ハンドル１６が中央部位に位置しているときは、前記切換ハンドル１６を構成する左側突出部１８と右側突出部１９が、左側切換弁１０と右側切換弁１１を外側方に押圧している状態である。
【００６１】
すなわち、前記２つの切換弁１０、１１が外側方に押圧されているときは、両切換弁１０、１１の先端部８、８が、前記手動回転ギヤ３のギヤ部３ａに当接されていない状態である。そのため前記手動回転ギヤ３は左回り回転もしくは右回り回転が自在である。そして小径ギヤ５、５と噛合している前記切欠駆動ギヤ４も手動回転ギヤ３と同じ方向に回転自在となる。
【００６２】
従って、前記切欠駆動ギヤ４の切欠部４ａが、前記握持フレームｆの開口部２と合致させることが極めて容易となる。
【００６３】
前記のように、前記握持フレームｆの開口部２と前記切欠駆動ギヤ４の切欠部４ａが合致したら、ボルトｂへの差込みもしくは取出し操作が極めて簡単にして、且つ迅速に行うことができる。
【００６４】
前記の操作は、手動回転ギヤ３の回転体６を手指でつまみながら行えば極めてスムーズに行うことができる。
【００６５】
第２に、前記切換ハンドル１６を右側方に回動するときは、図７に図示するように、右側切換弁１１が押されている。そのため右側方の弾性体１３が押圧され、左側方の弾性体１２が伸びて、手動回転ギヤ３のギヤ部３ａに左側切換弁１０の先端部８が当接して、前記手動回転ギヤ３は右回りだけに限定されて回転し、左回りは不可能となって左回りとならない。従って、ナットｎの仮締めではなく螺戻する作業ができる。
【００６６】
つぎに、前記切換ハンドル１６を左側方に回動せしめると、前記の第２に説明した場合と反対に、手動回転ギヤ３は左回りとなって、右回りはできない。従ってナットｎに対しては、仮締め作業ができる。
【００６７】
上記の各回転手段としては、前記回転体６をつまんで回転させる。
【００６８】
前記の各回転によって、切欠駆動ギヤ４の切欠部４ａと各フレーム２０、２１、２２の各開口部２、２、２が合致したり、閉じたりする。
【００６９】
前記のような回転操作によって、各種の作業が小回り良く処理できるので、本考案のギヤレンチＡは実用性に優れた各種の利点を有している。
【００７０】
２６は変換ソケットである。
【００７１】
本考案は、仮締め用レンチとして使用するもので、本締め作業は、ハンドル部にある本締め用レンチ孔２５に別設のソケット２６を嵌め、手動で本締めをする。
【００７２】
ｂはボルト、ｎはナットである。
【００７３】
２７はスライドするナット送り作業時に使用するロックカバーである。
【００７４】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００７５】
Ａ      手動式ギヤレンチ
ａ      回転方向切換機構
ｂ      ボルト
ｆ      握持フレーム
ｎ      ナット
１      先端部
２      開口部
２ａ    内側嵌挿入孔
３      手動回転ギヤ
３ａ    ギヤ部
３ｂ    軸部
３ｃ    軸孔
４      切欠駆動ギヤ
４ａ    切欠部
４ｂ    ギヤ部
４ｃ    軸部
４ｄ    嵌挿通し孔
５      小径ギヤ
５ａ    軸部
５ｂ    軸ピン
６      回転体
６ａ    つまみ部
６ｂ    軸杆
７      支承部
７ａ    凹部
８      先端部
９      下端部
１０    左側切換弁
１０ａ  背面部
１１    右側切換弁
１１ａ  背面部
１２    弾性体
１３    弾性体
１４    回転方向切換レバー
１５    突出部
１５ａ  ネジ孔
１６    切換ハンドル
１７    上面部
１８    左側突出部
１９    右側突出部
２０    下側フレーム
２１    中側フレーム
２１ａ  収納部
２２    上側フレーム
２３    ピン孔
２４    軸孔
２５    本締め用孔
２６    変換ソケット
２７    ロックカバー
【図１】
0003210552.tif 000003
【図２】
0003210552.tif 000004
【図３】
0003210552.tif 000005
【図４】
0003210552.tif 000006
【図５】
0003210552.tif 000007
【図６】
0003210552.tif 000008
【図７】
0003210552.tif 000009
【図８】
0003210552.tif 000010
【図９】
0003210552.tif 000011
【手続補正書】
【提出日】平成29年2月16日(2017.2.16)
【手続補正１】
【補正対象書類名】実用新案登録請求の範囲
【補正対象項目名】請求項４
【補正方法】変更
【補正の内容】
【請求項４】
請求項３に記載の左側切換弁と前記右側切換弁は、先端部が下端部よりも外側方に展開せしめられていることを特徴とする請求項１又は２又は３に記載の手動式ギヤレンチ。
【手続補正２】
【補正対象書類名】実用新案登録請求の範囲
【補正対象項目名】請求項５
【補正方法】変更
【補正の内容】
【請求項５】
請求項３に記載の手動回転ギヤの回転方向切換レバーの突出部は、左側面部と右側面部に対称的な突出状左側突出部と右側突出部が夫々設けられていることを特徴とする請求項１又は２又は３又は４に記載の手動式ギヤレンチ。
【手続補正３】
【補正対象書類名】実用新案登録請求の範囲
【補正対象項目名】請求項６
【補正方法】変更
【補正の内容】
【請求項６】
請求項３に記載の回転方向切換レバーの突出部は、裏面にネジ孔が形成されていることを特徴とする請求項１又は２又は３又は４又は５に記載の手動式ギヤレンチ。
【手続補正４】
【補正対象書類名】明細書
【補正対象項目名】０００９
【補正方法】変更
【補正の内容】
【０００９】
上記課題を解決するための手段として、請求項４に記載の考案は、請求項３に記載の左側切換弁１０と前記右側切換弁１１は、先端部８、８が下端部９、９よりも外側方に展開せしめられていることを特徴とする請求項１又は２又は３に記載の手動式ギヤレンチである。
【手続補正５】
【補正対象書類名】明細書
【補正対象項目名】００１０
【補正方法】変更
【補正の内容】
【００１０】
上記課題を解決するための手段として、請求項５に記載の考案は、請求項３に記載の手動回転ギヤ３の回転方向切換レバー１４の突出部１５は、左側面部と右側面部に対称的な突出状左側突出部１８と右側突出部１９が夫々設けられていることを特徴とする請求項１又は２又は３又は４に記載の手動式ギヤレンチである。
【手続補正６】
【補正対象書類名】明細書
【補正対象項目名】００１１
【補正方法】変更
【補正の内容】
【００１１】
上記課題を解決するための手段として、請求項６に記載の考案は、請求項３に記載の回転方向切換レバー１４の突出部１５は、裏面にネジ孔１５ａが形成されていることを特徴とする請求項１又は２又は３又は４又は５に記載の手動式ギヤレンチである。
【手続補正書】
【提出日】平成29年3月23日(2017.3.23)
【手続補正１】
【補正対象書類名】実用新案登録請求の範囲
【補正対象項目名】請求項４
【補正方法】変更
【補正の内容】
【請求項４】
前記左側切換弁と前記右側切換弁は、先端部が下端部よりも外側方に展開せしめられていることを特徴とする請求項３に記載の手動式ギヤレンチ。
【手続補正２】
【補正対象書類名】実用新案登録請求の範囲
【補正対象項目名】請求項５
【補正方法】変更
【補正の内容】
【請求項５】
前記手動回転ギヤの回転方向切換レバーの突出部は、左側面部と右側面部に対称的な突出状左側突出部と右側突出部が夫々設けられていることを特徴とする請求項３又は４に記載の手動式ギヤレンチ。
【手続補正３】
【補正対象書類名】実用新案登録請求の範囲
【補正対象項目名】請求項６
【補正方法】変更
【補正の内容】
【請求項６】
前記回転方向切換レバーの突出部は、裏面にネジ孔が形成されていることを特徴とする請求項３〜５のいずれか一項に記載の手動式ギヤレンチ。
【手続補正４】
【補正対象書類名】明細書
【補正対象項目名】０００９
【補正方法】変更
【補正の内容】
【０００９】
上記課題を解決するための手段として、請求項４に記載の考案は、前記左側切換弁１０と前記右側切換弁１１は、先端部８、８が下端部９、９よりも外側方に展開せしめられていることを特徴とする請求項３に記載の手動式ギヤレンチである。
【手続補正５】
【補正対象書類名】明細書
【補正対象項目名】００１０
【補正方法】変更
【補正の内容】
【００１０】
上記課題を解決するための手段として、請求項５に記載の考案は、前記手動回転ギヤ３の回転方向切換レバー１４の突出部１５は、左側面部と右側面部に対称的な突出状左側突出部１８と右側突出部１９が夫々設けられていることを特徴とする請求項３又は４に記載の手動式ギヤレンチである。
【手続補正６】
【補正対象書類名】明細書
【補正対象項目名】００１１
【補正方法】変更
【補正の内容】
【００１１】
上記課題を解決するための手段として、請求項６に記載の考案は、前記回転方向切換レバー１４の突出部１５は、裏面にネジ孔１５ａが形成されていることを特徴とする請求項３〜５のいずれか一項に記載の手動式ギヤレンチである。